(57)【要約】【課題】  洋服だんすの内部の下方にも吊下げパイプを設けて衣服の収納数を増やすとともに、たけの長い衣服を円滑に収納することができる洋服だんすを提供することを目的とする。【解決手段】  継手本体（１）に、Ｕ字形の断面を有する左方継手部（２）を形成し、円形断面を有する右方継手部（３）を形成し、円形断面を有する後方継手部（４）を形成し、円形断面を有する下方継手部（５）を形成し、左方継手部（２）に挿入したパイプｂの端部を係止することができる係止片（６）を装着してなるパイプジョイント金具。【選択図】  図２
0003113369.tif 000002
【実用新案登録請求の範囲】
【請求項１】
継手本体（１）に、Ｕ字形の断面を有する左方継手部（２）を形成し、円形断面を有する右方継手部（３）を形成し、円形断面を有する後方継手部（４）を形成し、円形断面を有する下方継手部（５）を形成し、左方継手部（２）に挿入したパイプｂの端部を係止することができる係止片（６）を装着してなるパイプジョイント金具。
【請求項２】
係止片（６）にく字状の弾性片（６４）を形成し、この弾性片（６４）によりパイプｂの端部を左方継手部（２）に係止することができる請求項１記載のパイプジョイント金具。
【考案の詳細な説明】
【技術分野】
【０００１】  本考案は、洋服だんすの内部に設けるパイプジョイント金具に関するものである。
【背景技術】
【０００２】  従来の洋服だんすは、内部の上方に吊下げパイプを取り付け、その吊下げパイプにハンガーを掛けるのが通常である。
【考案の開示】
【考案が解決しようとする課題】
【０００３】  洋服だんすの内部において吊下げパイプが上方の１本だけでは衣服の収納数に限度がある。本考案は、洋服だんすの内部の下方部にも吊下げパイプを設けて衣服の収納数を増やすとともに、たけの長い衣服の場合にも円滑に収納することができる洋服だんすを提供することを目的とする。
【課題を解決するための手段】
【０００４】  請求項１に記載されたパイプジョイント金具に係る考案は、継手本体に、Ｕ字形の断面を有する左方継手部を形成し、円形断面を有する右方継手部を形成し、円形断面を有する後方継手部を形成し、円形断面を有する下方継手部を形成し、左方継手部に挿入したパイプｂの端部を係止することができる係止片を装着したことを特徴とする。
請求項２に記載されたパイプジョイント金具に係る考案は、請求項１記載のパイプジョイント金具の係止片にく字状の弾性片を形成し、この弾性片によりパイプｂの端部を左方継手部に係止することを特徴とする。
【考案の効果】
【０００５】  請求項１に係る考案は、継手本体１のＵ字形断面を有する左方継手部２にパイプｂを係止することができるので、衣服の収納数を増大できるばかりでなく、たけの長い衣服を吊るす場合にはパイプｂをはずすことにより大きい空間を作ることができるので、使い勝手が良い。
請求項２に係る考案は、左方継手部２にパイプｂを係止した状態で使用する場合に、く字状の弾性片６４を形成した係止片６を左方継手部２に係止するので、パイプｂが脱落するおそれがない。
【考案を実施するための最良の形態】
【０００６】  以下、添付図面に従って、本考案の実施の形態を説明する。図１においてＡは洋服だんすを示し、前面には引戸又は観音開きの扉が設けられているが、図示を省略してある。洋服だんすＡの内部上方に吊下げパイプａが水平に設けられている。
符号１は本考案の継手本体を示し、左方継手部２と、右方継手部３と、後方継手部４と、下方継手部５から形成されている。継手本体１は垂直パイプｈによって支持されている。左方継手部２はＵ字形の断面を有し、洋服だんすＡの左側壁にも断面Ｕ字形の取付具ｃが取り付けてあり、左方継手部２と取付具ｃによって吊下げパイプｂを支持する。左方継手部２と取付具ｃのＵ字形断面は上方に向かって開放されており、吊下げパイプｂは着脱自在である。継手本体１の右方継手部３と後方継手部４と下方継手部５は円形断面を有している。洋服だんすＡの右側壁に取付具ｅが取り付けてあり、この取付具ｅと右方継手部３によって吊下げパイプｄを支持する。また、後方継手部４は支持パイプｆを介して洋服だんすＡの後壁に取り付けた取付具ｇにより支持されている。【０００７】  次に、左方継手部２について説明する。左方継手部２は上方に開放された断面Ｕ字形の側壁２１を有し、側壁２１の上方部分に水平方向の溝２２、２２を設ける。
図４は図３におけるＩＶ−ＩＶ線断面図を示す。１１は継手本体１の内部に設けられた隔壁である。溝２２の内方端に段部２３が連設されている。段部２３の上方には水平方向の溝２４が設けられている。
図２及び図７を参照すると、符号６は係止片を示し、係止片６は薄板部６１と厚板部６５からなり、薄板部６１と厚板部６５は結合されている。図７−１は薄板部６１の正面図、図７−２は平面図、図７−３は側面図である。図７−２において、薄板部６１には左右に係止縁６２、６２と前方に係止縁６３が形成されている。薄板部６１にく字形の弾性片６４が形成されている。係止縁６２は左方継手部２の溝２２に、係止縁６３は左方継手部２の溝２４に係合する。【０００８】  本考案に係るパイプジョイント金具の使い方は次のとおりである。洋服だんすＡの内部上方に設けられたパイプａとその下方に設けられたパイプｂ及びパイプｄにハンガー（図示省略）を掛けて衣服を収納する。本考案の目的は、長い衣服を収納するときに使い勝手の良い洋服だんすを提供することである。長い衣服を収納するときには、係止片６をはずし、パイプｂを上方に持ち上げて取り去る（図１における点線のｂ）。そうすると、長い衣服を収容することができる空間が形成される。はずした係止片６は紛失しないように元の位置（左方継手部２）に係止しておく。
パイプｂが左方継手部２と取付具ｃによって支持されている場合、係止片６を左方継手部２に係止させておく。係止片６にく字形の弾性片６４が形成されているので、弾性片６４はパイプｂを圧接し、パイプｂは脱落する恐れがない。【０００９】  図面に示したパイプジョイントと金具は左方継手部、右方継手部、後方継手部、下方継手部を有するものを示したが、必要に応じて、パイプジョイント金具に上方向の上方継手部を形成することもできる。
【図面の簡単な説明】
【００１０】
【図１】  本考案のパイプジョイント金具を組み込んだ洋服だんすの説明用図面である。
【図２】  本考案のパイプジョイント金具の全体図である。
【図３】  本考案のパイプジョイント金具の平面図である。
【図４】  図３のＩＶ−ＩＶ線断面図である。
【図５】  図３のＶ−Ｖ線継面図である。
【図６】  図２のＩＶ視図である。
【図７−１】  係止片の薄板部の正面図である。
【図７−２】  係止片の薄板部の平面図である。
【図７−３】  係止片の薄板部の側面図である。
【符号の説明】
【００１１】１    継手本体
２    左方継手部
３    右方継手部
４    後方継手部
５    下方継手部
６    係止片
６４  弾性片
【図１】
0003113369.tif 000003
【図２】
0003113369.tif 000004
【図３】
0003113369.tif 000005
【図４】
0003113369.tif 000006
【図５】
0003113369.tif 000007
【図６】
0003113369.tif 000008
【図７−１】
0003113369.tif 000009
【図７−２】
0003113369.tif 000010
【図７−３】
0003113369.tif 000011